(57)【特許請求の範囲】
【請求項１】
少なくとも一部が半開の構造（２０；１２０；２２０；３２０；４２０；５２０；６２０；７２０）であって、
前記構造は、全体として管状な隣接する複数の開放セル（２１；５２１、５２１'；６２１、６２１'）を有し、および、幅（Ｗ）、長さ（Ｌ）および厚さ（Ｔ）を有するシート材料であって前記シート材料の少なくとも一部分に渡って全体として平行な第１の方向（ＤＬまたはＤＷ）に延びる間隔の空いた複数の波形（２、３；３０２；３０３；５０２、５０３；６０２、６０３、６０２'、 ６０３'、７０２、７０３）を有する前記管状の開放セルを区切る前記シート材料から成り、
前記構造の前記管状の複数の開放セルの全ては、前記波形を全体として横断する第２の方向（ＤＷまたはＤＬ）に延びる、前記シート材料において予め定められた位置における折り畳みライン（１０；１１；３１０；３１１；５１０、５１１、５１０'、５１１'、６１０、６１１；７１０、７１１）に沿って、自身の上にまたは自身に向かって折り畳まれる１つの一体型シート（１；３０１；５０１；６０１；７０１）という折り畳み可能なシート材料によって区切られ、
相互に間隔の空いた複数のスロット（１０Ａ、１１Ａ；３１０Ａ、３１１Ａ、５１０Ａ、５１１Ａ、５１０Ａ'、５１１Ａ'；６１０Ａ、６１１Ａ；７１０Ａ、７１１Ａ）の交互の複数のセット（１０、１１；３１０、３１１；５１０、５１１、５１０'、５１１'；６１０、６１１；７１０、７１１）が、前記シート（１；３０１；５０１；６０１；７０１）に渡って前記第２の、全体として平行な方向（ＤＷまたはＤＬ）に延びており、
１つおきのセットの個々のスロットは、他のセットの個々のスロットに関して前記波形を横断する方向に変位されており、
複数のスロットの隣接する複数のセットに沿って交互の反対の方向（ＦＤ１、ＦＤ２）における折り畳みが、前記折り畳みラインを定義し、
任意に選択された複数のセット（１０、１１；３１０、３１１；７１０、７１１）の複数のスロット（１０Ａ、１１Ａ；３１０Ａ、３１１Ａ；７１０Ａ、７１１Ａ）に沿って、前記シート（１；３０１；７０１）が自身に向かって折り畳まれるように、１８０°以外の任意の角度で折り畳まれていることを特徴とする構造。
【請求項２】
複数のスロット（１０Ａ、１１Ａ；３１０Ａ、３１１Ａ、５１０Ａ、５１１Ａ、５１０Ａ'、５１１Ａ'；６１０Ａ、６１１Ａ；７１０Ａ、７１１Ａ）の前記複数のセット（１０、１１；３１０、３１１；５１０、５１１、５１０'、５１１'；６１０、６１１；７１０、７１１）は、前記シート（３０１；７０１）の選択された部分（３０１Ａ；７３１、７３２）に設けられ、あるいは前記シート（１；５０１；６０１）の全体に渡って設けられ、
選択された複数のセットの複数のスロットにおける、あるいは前記複数のセットの複数のスロットの全てにおける、折り畳みを特徴とする請求項１に記載の構造（２０；１２０；２２０；３２０；４２０；５２０；６２０；７２０）。
【請求項３】
任意に選択された複数のセット（１０、１１；３１０、３１１；７１０、７１１）の複数のスロット（１０Ａ、１１Ａ；３１０Ａ、３１１Ａ；７１０Ａ、７１１Ａ）に沿って、前記シート（１；３０１；７０１）が自身に向かって折り畳まれるように、０°と１３５°との間の折り畳みを特徴とし、および、いくつかのあるいは全ての他の複数のセットの複数のスロットにおいて前記シート（１；３０１；７０１）が自身の上に折り畳まれるように、略１８０°の折り畳みを特徴とし、それによって前記構造（１２０；２２０；３２０；４２０；７２０）は、複数の種々の面（Ｐ１−Ｐ４；Ｐ１、Ｐ２、Ｐ５）において領域の少なくともいくつかのそれぞれの面について全体として垂直に向けられた複数のセル（２１）を伴って拡張される、複数のパネル領域（ＰＡ１−ＰＡ４；ＰＡ１、ＰＡ２、ＰＡ５；７３１−７３３、７３５−７３７）に分割されることを特徴とする請求項１または２に記載の構造（１２０；２２０；３２０；４２０；７２０）。
【請求項４】
複数のスロット（３１０Ａ、３１１Ａ；７１０Ａ、７１１Ａ）の複数のセット（３１０、３１１；７１０、７１１）は、前記シート（３０１；７０１）の選択された領域（３０１Ａ；７３１、７３２）に存在することを特徴とし、または、前記シート（１）はいくつかのセット（１０、１１）の複数のスロット（１０Ａ、１１Ａ）において折り畳まれないままであることを特徴とし、それによって前記構造（２２０；３２０；７２０）は、１つの面（Ｐ１、Ｐ３）に拡張され、前記領域の面と全体として垂直に向けられた複数のセル（２１）を有する少なくとも１つのパネル領域（ＰＡ１、ＰＡ３；７３１、７３２）に分割され、且つ、１つの面（Ｐ２、Ｐ４）に拡張され、初めから波形化された形状あるいは初めから波形化されてスロットを作られた形状を有する少なくとも１つのパネル領域（ＰＡ２、ＰＡ４；７３３）に分割されることを特徴とする請求項３に記載の構造（２２０；３２０；７２０）。
【請求項５】
前記シート（１；３０１；５０１；６０１；７０１）は導電性のある金属材料から成ることを特徴とする請求項１乃至４の何れか１項に記載の構造（２０；１２０；２２０；３２０；４２０；５２０；６２０；７２０）。
【請求項６】
シート材料から、少なくとも一部が半開の構造（２０；１２０；２２０；３２０；４２０；５２０；６２０；７２０）を生産する方法であって、
前記構造は、幅（Ｗ）、長さ（Ｌ）、および厚さ（Ｔ）を有する前記シート材料によって区切られた、全体として管状な隣接する複数のセル（２１；５２１、５２１'；６２１、６２１'）を有し、
折り畳み可能な材料の一体型シート（１；３０１；５０１；６０１；７０１）が設けられ、前記シート材料の少なくとも一部は、シート材料の幅方向または長さ方向（ＤＷまたはＤＬ）に、波形化され（波形２、３；３０２；３０３；５０２、５０３；６０２、６０３、６０２'、６０３'；７０２、７０３）、あるいは形作られており、
前記波形（２、３；３０２；３０３；５０２、５０３；６０２、６０３、６０２'、６０３'；７０２、７０３）を横断する方向に、位置合わせされた複数のスロット（１０Ａ；３１０Ａ；５１０Ａ、５１０Ａ'；６１０Ａ；７１０Ａ）の第１のセット（１０；３１０；５１０、５１０'；６１０；７１０）を前記シートに形成する工程と、
同様に前記波形を横断する方向に、位置合わせされた複数のスロット（１１Ａ；３１１Ａ；５１１Ａ、５１１Ａ'、６１１Ａ；７１１Ａ）の第２のセット（１１；３１１；５１１、５１１'；６１１；７１１）を前記シートに形成する工程と、
それによって、各セットの２つの位置合わせされたスロットのそれぞれの間にスロット間隔（１０Ｂ、１１Ｂ；３１０Ｂ；３１１Ｂ；５１０Ｂ；５１１Ｂ、５１０Ｂ'、５１１Ｂ'；６１０Ｂ、６１１Ｂ）を設ける工程と
前記第１および第２のセットのスロットを前記シート材料に交互に形成する工程と、
他のセットの個々のスロットに関して前記波形を横断する方向に変位した、前記第１および第２のセットの１つの個々のスロットを形成する工程と、
前記シートを、自身に向かってまたは自身の上に、前記位置合わせされた複数のセットの複数のスロットの少なくともいくつかに沿って、交互に反対の方向（ＦＤ１、ＦＤ２）に繰り返し折り畳み、それによって、前記スロット間隔の領域においてお互いに相互接続され且つ前記全体として管状の複数のセルを区切るのに寄与するシートセクション（ＳＳ１−ＳＳｎ；ＳＳｘ−１−ＳＳｘ＋２）を形成する工程と、
前記シート材料（１；３０１；７０１）を、１８０°以外の任意の角度で、任意に選択されたセット（１０、１１；３１０、３１１；７１０、７１１）のスロット（１０Ａ、１１Ａ；３１０Ａ、３１１Ａ；７１０Ａ、７１１Ａ）に沿って、自身に向かって折り畳む工程と、
を実行することを特徴とする方法。
【請求項７】
前記複数のセット（１０、１１；３１０、３１１；５１０、５１１、５１０'、５１１'；６１０、６１１；７１０、７１１）の複数のスロット（１０Ａ、１１Ａ；３１０Ａ、３１１Ａ；５１０Ａ、５１１Ａ、５１０Ａ'、５１１Ａ'；６１０Ａ、６１１Ａ；７１０Ａ、７１１Ａ）を、前記シート材料（３０１；７０１）の選択された領域（３０１Ａ；７３１、７３２）に形成する工程、あるいは前記シート材料（１；５０１；６０１）の全体に渡って設ける工程、および、選択されたセットのスロットにおいて、あるいは前記セットのスロットの全てにおいて、前記シート材料を折り畳む工程を実行することを特徴とする請求項６に記載の方法。
【請求項８】
前記シート材料（１；３０１；７０１）を、０°と１３５°との間で、任意に選択されたセット（１０、１１；３１０、３１１；７１０、７１１）のスロット（１０Ａ、１１Ａ；３１０Ａ、３１１Ａ；７１０Ａ、７１１Ａ）に沿って、自身に向かって折り畳む工程、および、他のセットのスロットのいくつかあるいは全てにおいて前記シート材料を１８０°自身の上に折り畳む工程を実行することを特徴とし、それによって、複数の種々の面（Ｐ１−Ｐ４；Ｐ１、Ｐ２、Ｐ５）において拡張され、前記領域の少なくともいくつかのそれぞれの面と全体として垂直に向けられた複数のセル（２１）を伴う、複数のパネル領域（ＰＡ１−ＰＡ４；ＰＡ１、ＰＡ２、ＰＡ５；７３１−７３３、７３５−７３７）に分割された構造（１２０；２２０；３２０；４２０；７２０）を形成する工程を実行することを特徴とする請求項６または７に記載の方法。
【請求項９】
前記複数のセット（３１０、３１１；７１０、７１１）の複数のスロット（３１０Ａ、３１１Ａ；７１０Ａ、７１１Ａ）を、前記シート材料（３０１；７０１）の選択された領域（３０１Ａ；７３１、７３２）に設ける工程、あるいは前記シート材料（１）を、前記複数のセット（１０、１１）の複数のスロット（１０Ａ、１１Ａ）のいくつかにおいて、折り畳まれていない状態のままにする工程を実行することを特徴とし、それによって、１つの面（Ｐ１、Ｐ３）において拡張され、前記領域の面と全体として垂直に向けられた複数のセル（２１）を有する、少なくとも１つのパネル領域（ＰＡ１、ＰＡ３；７３１、７３２）に分割され、且つ、１つの面（Ｐ１、Ｐ２、Ｐ４）において拡張され、初めから波形化された形状あるいは初めから波形化されてスロットが作られた形状を有する、少なくとも１つのパネル領域（ＰＡ２、ＰＡ４；７３３）に分割された、構造（３２０；２２０；７２０）を形成する工程を実行することを特徴とする請求項６乃至８の何れか１項に記載の方法。
【請求項１０】
相互の上に略１８０°折り畳まれ、およびスロット間隔（１０Ｂ、１１Ｂ）を通じて一部が相互接続されている、前記隣接する複数のシートセクション（ＳＳ１−ＳＳｎ）の少なくともいくつかは、前記折り畳みの後に、相互接続しているスロット間隔から離れている、相互に係合している領域（８）の少なくともいくつかにおいて、相互に固定されることを特徴とする請求項６乃至９の何れか１項に記載の方法。
【請求項１１】
電子モジュールの電磁気遮蔽パネルユニットと換気パネルユニットとの少なくとも１つとして使用されることを特徴とする請求項５に記載の構造（２０；１２０；２２０；３２０；４２０；５２０；６２０；７２０）。
【発明の詳細な説明】
【技術分野】
【０００１】
本発明は、構造を通じて延び、シート材料またはプレート材料によって区切られ、全体として管状開放セルを伴う半開形状を有する構造に関し、そのような構造は一般にハニカム構造と称されている。
【背景技術】
【０００２】
ハニカム構造は、軽いが丈夫なインパクト吸収パネルおよびショック吸収パネルから、遮音パネルおよび／または断熱パネル、およびＥＭＣ遮蔽パネルおよび／または換気パネルまで、に及んだ適用等の、いくつかの領域で頻繁に使用される。ハニカム構造の両側に固定された１またはいくつかのバッキング層を有するサンドウィッチ型パネルにおいて、後者は、ハニカムコアと一般に称される。ハニカム構造の適用および／または材料に依存して、ハニカム構造は２つの異なるプロセスで従来加工される。いわゆる“拡張”または“伸張”プロセスにおいて、いくつかの平らなシートまたは箔（foil）が、お互いの上に積載され、各シートのペアの間に設けられた特定のパターンのはんだラインまたは接着ラインによって相互に接着される。これらのラインは一般にノードラインと称される。相互に接着されたシートの面と垂直な方向に引っ張り力を加えることによって、それらのシートは、非接着領域に伸張または拡張され、それによってハニカムセルパターンを形成する。この“拡張”プロセスの例が米国特許出願公開第２００８−０１４５６０２号明細書に開示される。“波形化プロセス” において、一片の波形付けられたまたは波状の材料がいわば“背中あわせ”に 統合され、全体として平らな接触表面において適切な接着剤によって共に接着される。“波形化”プロセスの汎用例が米国特許第５７１４２２６号明細書に開示される。使用されるシート材料の基本的性質に依存して、“波形化”プロセスで使用される波形付けられた基材または波状の基材は、ロール形成プロセス、“ドロー（drawing）”プロセス、または押し出しプロセス等によって多くの種々の方法で形成されてもよい。
【０００３】
簡潔に記述された従来のハニカム製造プロセスの両方に共通であり、ほとんどの適用例でむしろ不可欠である問題は、前記ノードラインにおいて種々のシートまたは一片（strip）の間で得られる接着ボンドの強度である。シートまたは一片の間でのそのような接着ボンドが機能しないなら、このことは、ハニカム構造全体にその特性を失わせ、崩壊さえもたらすかもしれない。
【０００４】
電子機器の分野では、ハニカム型の金属製換気口のＥＭＩ／ＥＭＣ遮蔽特性が十分に実証されている。そのような適用例においては、述べられた“波形”製造プロセスは、電磁気的な遮蔽ハニカム換気口パネルを生産するために極めて一般的に使用されている。そのような適用例は、適切な遮蔽を保証するためにパネルを通じて良好且つ一様な導電性を必要とする。はんだ付けによる金属片の係合部の接着はかなり効果的であるが、大量生産される製品について受け入れられ得ない、材料コストだけではなく極めて高い生産コストという重荷を負う。この問題を解決するために、より安価であり且つより容易に適用される樹脂接着剤を使用することが提案されている。隣接片（strip）の隣接する面は本質的に非導電性の接着剤によって相互に電気的に絶縁されるという事実に起因して、結果として生じるパネルは、著しく低減した、特に不規則または予測不可能な遮蔽能力を有する。隣接して接着されたパネルの部分において種々の導電性ブリッジを設けることによって、遮蔽効果問題を解決するためにいくつかの試みがなされている。そのような試みは、米国特許第５９１０６３９号明細書に記載されているように、ハニカム構造全体のメッキあるいはハニカムの金属片（strip）の１つからの材料の機械的移動、および接着ボンドに渡る前記材料の隣接片への混合を含んでいる。
【発明の概要】
【発明が解決しようとする課題】
【０００５】
様々な適用例のために合理的なコストで適切なハニカム型構造の生産を可能にする解決策の汎用的な必要性がある。それ故、ハニカム型構造およびその製造の上述した問題および不利益を克服する解決策を見出すことが本発明の概略目的である。
【０００６】
特に、改良された安定性および完全性を有し、コスト効率の高い製造を可能にするハニカム型の改良された半開構造を提案することが本発明の目的である。
【０００７】
ハニカム型の半開構造のコスト効率の高い最終処理を可能にするだろう基本材料を提案することが本発明の別の目的である。
【０００８】
ハニカム型の半開構造のコスト効率の高い製造の改良された方法を提案することが本発明のさらなる目的である。
【０００９】
良好且つ予測可能なＥＭＣ遮蔽特性を有する改良されたハニカム構造を提案することが本発明のさらなる別の目的である。
【００１０】
これらの目的および他の目的は、添付の特許請求の範囲によって定義されるように本発明によって達成される。
【課題を解決するための手段】
【００１１】
本発明は、一般にハニカム構造と称される半開構造の型に関する。具体的には、本発明は、材料に渡って延びる波形を有し、開放管状セルを定義するシート材料またはプレート材料から形成される構造に関する。製造効率および構造の安定性を改良するための本発明の基本的概念は、全ての管状開放セルが、波形を横断して全体に延びる折り畳みラインに沿ってそれ自身の上へまたはそれ自身に向かって折り畳まれる１つの一体型のシートまたはプレートという折り畳み可能な材料によって定義される構造を提供することである。このようにして、１つの単一の連続したシート／プレートのみが、製造時に処理されるだろう。そのことは、多数の金属片の処理および別個の相互接続を含む先行技術の処理に対する明確な改良である。さらに、一体型折り畳み式材料は別個の相互接続を必要とせず、それによって完成した構造の安定性および完全性を十分に増大させる。
【００１２】
本発明の別の側面に従って、前記波形化されたシート／プレートの選択された領域に提供され、または、シートまたはプレート全体に分散された、位置合わせされ且つ相互に間隔の空いたスロットの交互のセットを有する、波形化され、折り畳み可能な材料のシートまたはプレートが提供される。スロットは、シート／プレートに渡って平行方向に、全体としてシート／プレートの波形を横断して延びる。前記セットの１つの個々のスロットは、他のセットの個々のスロットに関して波形を横断する方向に変位する。
【００１３】
本発明のさらなる側面に従って、シート材料またはプレート材料から少なくとも部分的に半開構造を製造する方法が提案される。製造された構造は、幅、長さ、および厚さを有するシート材料／プレート材料であって、その幅方向または長さ方向に波形化あるいはプロファイル（profile）されている（形作られている）シート材料／プレート材料によって区切られた、全体として隣接した管状開放セルを有する。基本的に、本発明は、折り畳み可能な材料の一体型シート／プレートを供給する工程と、波形を横断する方向に、シート／プレートに、位置合わせされたスロットの第１および第２のセットを交互に形成する工程と、を含む。さらにその上、各セットの２つの位置合わせされたスロットのそれぞれの間に間隔が設けられ、前記第１および第２のセットの１つのスロットは、他のセットのスロットに関して波形を横断する方向に変位する。間隔領域で相互に接続され、全体として管状セルを区切るのに寄与するシートセクション／プレートセクションを形成するために、シート／プレートは、少なくともいくつかのスロットのセットに沿って交互に反対方向に、シート／プレート自身の上にまたはシート／プレート自身に向かって繰り返し折り畳まれる。
【００１４】
本発明のさらなる側面によれば、本発明の改良されたＥＭＣ遮蔽ハニカム構造および／または換気ハニカム構造は、エレクトロニクス分野で使用される。この側面の基本概念は、導電性金属材料のシート材料／プレート材料を提供することである。
【００１５】
基本的な独創的な概念だけでなく、その実施形態の好ましいさらなる成果は従属請求項に記載される。
【００１６】
本発明によって提供される有利な点は、上述した利点に加えて、本発明の実施形態の以下の詳細な説明を読めば容易に理解されるだろう。
【図面の簡単な説明】
【００１７】
本発明は、そのさらなる目的および利点と共に、添付の図面と共に以下の説明を参照することによって最も良く理解されるだろう。
【図１Ａ】図１Ａは、本発明の半開構造の第１実施形態を形成するシート材料の上からの部分的な概略平面図である。
【図１Ｂ】図１Ｂは、図１Ａのシート材料の端面図である。
【図２Ａ】、
【図２Ｂ】図２Ａ−Ｂは、側面図および端面図において、それぞれ、図１Ａ−Ｂのシート材料から半開構造を形成する第１のフェーズを説明する。
【図３Ａ】、
【図３Ｂ】図３Ａ−Ｂは、側面図および端面図において、それぞれ、図１Ａ−Ｂのシート材料から半開構造を形成する第２のフェーズを説明する。
【図４Ａ】、
【図４Ｂ】図４Ａ−Ｂは、側面図および端面図において、それぞれ、図１Ａ−Ｂのシート材料から半開構造を形成する第３のフェーズを説明する。
【図５】図５は、本発明の半開構造の完成した第１実施形態の説明図である。
【図６】図６は、図５の完成した構造の部分的な斜視図である。
【図７】図７は、図５におけるラインＡ−Ａに沿った、完成した構造を通じた部分的な断面である。
【図８】図８は、図６の構造を製造するための工程を説明するブロック図である。
【図９】図９は、本発明の構造の第２実施形態の部分的説明図である。
【図１０】図１０は、本発明の構造の第３実施形態の部分的説明図である。
【図１１Ａ】図１１Ａは、本発明の半開構造の第４実施形態を形成するためのシート材料の上からの部分的な概略平面図である。
【図１１Ｂ】図１１Ｂは、本発明の構造の第４実施形態の部分説明図である。
【図１２】図１２は、本発明の構造の第５実施形態の代替コーナーの形成を概略的に説明する。
【図１３Ａ】図１３Ａは、本発明の半開構造の第６実施形態を形成するためのシート材料の部分的な説明図である。
【図１３Ｂ】図１３Ｂは、図１３Ａのシート材料から形成されるような、本発明の構造の完了した第６実施形態の部分的な説明図である。
【図１４Ａ】図１４Ａは、本発明の半開構造の第７実施形態を形成するためのシート材料の上からの部分的な平面図である。
【図１４Ｂ】図１４Ｂは、本発明の構造の第７実施形態を形成するための、図１４Ａのシート材料の部分的な端面図である。
【図１５Ａ】図１５Ａは、本発明に従った構造の第８実施形態を形成するためのシート材料の概略平面図である。
【図１５Ｂ】図１５Ｂは、図１５Ａのシート材料から形成されるような、本発明の構造の完了した第８実施形態の概略斜視図である。
【発明を実施するための形態】
【００１８】
本発明は、本発明のハニカム型構造の例示的な実施形態を参照して説明されるだろう。当該実施形態は、添付の図面において説明される。本発明の第１の例示的実施形態およびその製造は図１Ａ−図８で説明されており、１つの単一平面に拡張され、且つＥＭＣ遮蔽、換気、絶縁、変形域等を含んだ選択的な目的および適用を意図される、部分的且つ極めて概略的に説明される（outlined）パネルを製造するための独創的な解決策の適用例に関する。しかし、説明図は本発明の好ましい実施形態を説明する目的のためのものであり、本発明をその詳細のみに限定するように意図されてないことが強調されるべきであろう。
【００１９】
最初に述べられた“拡張”または“波形化”プロセスによって製造されようとそうでなかろうと、従来のハニカムパネルはかなり高価であることが発明者によって認識されている。これは、両方の既知のプロセスがいくつかの分離した且つ時間のかかるプロセス工程を含むという事実に起因するものである。両方の場合において、プロセスは、丁寧に位置合わせされ、積載され、共に接着される別個のシートまたはプレートの処理を含んでいる。その後、実際のパネルを形成するために、平面シートの拡張によって、またはハニカム構造のブロックからスライス（slice）をカットまたは切断することによって、の何れかでパネルが処理される。この全ては、結局のところかなり複雑且つコストの高い製造プロセスとなる。さらに、生産された構造またはパネルはしばしば安定性に欠けている。安定性の欠如は、接着されたジョイントのクラッキングまたは他の不具合によって引き起こされるかもしれず、適用分野に依存して様々な重大な結果をもたらすかもしれない。
【００２０】
上述の観点で製造方法および／または実際の製造されたハニカムパネルを改良するために多くの試みが過去になされている。“波形化”プロセスに関する試みは、接着の強度および／または相互に接着された、波形化された片（strip）の間の導電性を改良することをほとんど目的としている。そのような努力にも関わらず、従来の製造プロセスは、未だにかなり複雑であり且つ時間を要している。同様に、別個のパネル部分間の接着は、得られる改良にも関わらず、安定性および／または伝導性に関する限り、未だに質が欠如している。既知の製造プロセスおよびハニカム型パネルが有する上述の不利な点および問題を克服するために、本発明は新規な設計アプローチを提案する。本発明によって提供される解決策に従って、十分低減された製造コストおよびハニカム構造全体の増大した安定性および／または伝導性の観点で有利な改良が達成される。さらに、製造されたハニカムパネル構造の汎用性が本発明によって十分に増大される。基本的に、本発明の全ての有利な効果は、材料における折り畳みラインに沿って自身の上にまたは自身に向かって折り畳まれる、波形化された折り畳み可能な材料の１つの単一シートまたはプレートから、１つのピース（piece）で形成される特有のハニカム構造によって達成される。
【００２１】
添付の図面１−１５Ｂで説明される、その例示的な実施形態を参照して、本発明は以下に説明されるだろう。独創的なハニカム構造およびその製造の極めて概略的な実施形態が、当該図面に開示される。従来のハニカム構造と同様に、本発明の実施形態は、全体として、隣接する管状セルを有し、管状セルのそれぞれを区切るシート材料またはプレート材料から成り、材料に渡って延びた間隔の空いた波形を有する、半開構造に関する。
【００２２】
図１Ａ−Ｂは、第１実施形態の独創的なハニカム構造２０（図５参照）が図８に示されるような一連の方法工程で形成されてもよい、基本材料１の概略例示的な第１実施形態を開示する。そのような製造プロセスは、プログラム可能な製造プロセスとして実行されることに十分適合している。本発明によれば、基本材料１は、ステップＳ１において、幅Ｗ、長さＬ、および厚さＴを有する一体型シートまたはプレート材料１の形式で提供される。基本シート／プレート材料１は、可塑的に折り畳み可能であるべきであるが、その他の点では各適用例に対して任意に選択されてもよい。その基本シート／プレート材料１は、特定の適用例に依存して、わずか百分の数ミリメートルの厚さＴを有する薄箔から、数ミリメートルの厚さＴを有する比較的堅いプレートまで、に及んでもよい。シート／プレート１は、金属材料、合成樹脂材料または複合材料から成ってもよい。簡単化のため、この基本材料は以降シート材料としてのみ称されるだろう。
【００２３】
ステップＳ２において、相互に間隔の空いた、位置合わせされたスロット１０Ａ、１１Ａの２つのセット１０、１１が、シート材料１において予め定められた位置に交互に形成される。各セット１０、１１は、それぞれ、シート１の幅に渡って全体として平行な方向ＤＷに延びる、複数のスロット１０Ａ、１１Ａから成る。当該スロット方向ＤＷは、その後に形成され、後に説明されるシート１の波形を全体として横断しており、明細書を通じて第２の方向と称される。各セット１０および１１の個々のスロット１０Ａ、１１Ａは、各セット１０、１１の２つの隣接する位置合わせされたスロット１０Ａ、１１Ａのそれぞれの間に、スロット間隔１０Ｂ、１１Ｂを設けることによって、それぞれ、相互に距離を置いて配置される。当該セット１０、１１の１つの個々のスロット１０Ａ、１１Ａは、他のセットの個々のスロットに関してスロット方向ＤＷに変位し、その結果各セットのスロット間隔１０Ｂ、１１Ｂは同様に相互に第２の方向ＤＷに変位する。これらのセットのスロットは、さらに以下で説明されるように、シート１が自身の上にまたは自身に向かって折り畳まれる折り畳みラインを形成する。
【００２４】
ステップＳ３において、シート材料１は、スロット１０Ａ、１１Ａのセット１０、１１の形成の後に実用的な理由で形成される複数の一様に間隔の空いた、全体として平行な波形２、３を形成される。波形は、ここでは、シート材料１に形成される交互の溝２および尾根３として定義される。波形２、３は、シート材料１の長さＬに沿った全体として平行な第１の方向ＤＬに延びている。当該第１の方向は、スロット１０Ａ、１１Ａのセット１０、１１の第２の方向を全体として横断しており、または当該方向に垂直である。特定の適用例の状況に依存して、波形２、３は、材料の幅Ｗに渡る方向ＤＷに、等しく十分に延びてもよく、スロット１０Ａ、１１Ａはシート材料１の長さに沿った方向ＤＬに位置合わせされて延びてもよいことが明らかであろう。
【００２５】
波形２、３は、それぞれ実質的に平らな溝底面４および尾根頂面５、および相互に接続する傾斜した側面６および側面７を伴う全体として台形形状を有して形成される。この例示的な第１実施形態において、スロット１０Ａ、１１Ａのセット１０、１１は、シート１の全伸張に渡って均一に間隔をおいて配置され、分布している。個々のスロット１０Ａ、１１Ａは、図１のシート形状のセット１１の最外部のスロット１１Ａを除いて、等しい長さを有してここでは形成される。スロット１０Ａ、１１Ａおよびスロット間隔１０Ｂ、１１Ｂの長さは、波形２、３の寸法に適合される。具体的には、スロット１０Ａ、１１Ａの長さは等しく、１つの傾斜側面６および７それぞれの開始から、次の傾斜側面７および６のそれぞれの終わりまで測定されるような、波形溝２および波形尾根３の幅を好ましくはわずかに超過する。スロット間隔１０Ｂ、１１Ｂの長さは、略等しく、溝底面４および尾根頂面５のそれぞれの幅よりもわずかに小さいことが好ましい。上述したように、２つのセット１０、１１の１つのスロット１０Ａ、１１Ａは、他のセットの個々のスロットに関して、波形２、３を横断する方向に変位している。この変位は、説明されたスロット、間隔および波形寸法の観点で同様に選択され、その結果スロット間隔１０Ｂ、１１Ｂは通常それぞれの平らな溝底面４および尾根頂面５に中心を置かれるだろう。別の方法で表現するなら、２つのセット１０、１１のスロット１０Ａ、１１Ａは、１つの波形ピッチで変位している。
【００２６】
このシート形状で、スロット１０Ａ、１１Ａのセット１０、１１は、図８の方法のステップＳ４−Ｓ６ｎにおいて（図５に説明されるような）独創的なハニカム構造２０を形成する場合に、上述の折り畳みラインとして実際に機能する弱化ラインを形成すると考えられてもよい。図２Ａ−Ｂに、スロット１０Ａの第１のセット１０に沿った第１の折り畳み方向ＦＤ１にシート材料１を略１８０°自身の上に折り畳む初期のステップＳ４が説明される。その結果、第１のシートセクションＳＳ１が一体型シート材料１に形成される。１８０°の折り畳みを通じて、この第１のシートセクションＳＳ１は、反対の尾根頂面５において次のシートセクションＳＳ２と係合するだろう。第１および第２のシートセクションＳＳ１、ＳＳ２は、スロット間隔１０Ｂによって実際の折り畳みにおいて連結されるだろう。図３Ａ−Ｂにおいて、スロット１１Ａの第２のセット１１に沿った第２の反対の折り畳み方向ＦＤ２に、シート材料１が再び略１８０°自身の上に折り畳まれる、次の方法ステップＳ５が説明される。この場合、第２のシートセクションＳＳ２は、新しい反対の１８０°の折り畳みを通じて、次のシートセクションＳＳ３とその反対の溝底面４において係合するだろう。第２および第３のシートセクションＳＳ２、ＳＳ３は、スロット間隔１１Ｂによって実際の折り畳みで連結されるだろう。その後のステップＳ６Ｓ１−Ｓ６Ｓｎにおいて、連続した第１および第２のセット１０、１１のスロットのそれぞれに沿って、交互に反対の方向ＦＤ１、ＦＤ２に、シート材料１はそれぞれ自身の上に折り畳まれる。それによって、さらなるシートセクションＳＳ３−ＳＳｎが同様の方法で折り畳まれる。このことは、第３のシートセクションＳＳ３の折り畳みによって図４Ａ−Ｂに例示される。これらのさらなるシートセクションＳＳ３−ＳＳｎおよび上述したシートセクションＳＳ１、ＳＳ２は、図５−７に詳細に説明される構造２０の全ての管状の、開放セル２１を協動して区切る。図２Ａ−Ｂから図４Ａ−Ｂにおいて、折り畳みプロセスは、主に折り畳みの原則を説明する目的で説明されている。実際にはシートは大抵、各新しい折り畳みについて１８０°予め折り畳まれた複数のセクションに沿って向きを変える（swing）こと無く折り畳まれるだろうことが明らかであるべきである。実際の適用例では、この折り畳みは、例えば、図３ＡにおいてシートセクションＳＳ３およびＳＳ４に対する一点鎖線で示されるように、２つのその後のシートセクションを、反対方向に、同時に折り畳むことによって実行されてもよい。
【００２７】
この第１実施形態において、シート材料１は、全てのセット１０、１１のスロットにおいて自身の上に略１８０°折り畳まれる。それによって、１つの平面Ｐ１（図７参照）に拡張され、当該面と全体として垂直に向けられたセル２１を伴う平らな構造２０またはパネルが形成される。セル２１は構造２０に均一に設けられ、２つの相互に垂直な方向Ｄ１、Ｄ２のそれぞれに延びた列を形成する。シートセクションＳＳ１−ＳＳｎは、完成した構造２０において、パネルの反対側に位置するであろうスロット間隔１０Ｂ、１１Ｂの領域で互いに相互接続される。ある適用例では、特に高い安全性および完全性が要求されるかもしれない。そのような適用例について、スロット間隔１０Ｂ、１１Ｂを通じて部分的に相互接続されている少なくともいくつかの隣接するシートセクションＳＳ１−ＳＳｎは、相互にさらに固定されてもよい。そのような場合、相互接続しているスロット間隔１０Ｂ、１１Ｂから離れた、その少なくともいくつかの相互に係合した領域８は、相互に接着されてもよい。これは、折り畳みの後に、ステップＳ７において行われてもよいが、実際の製造方法においては好ましくはより好都合に各折り畳みの後になされてもよい。そのようなさらなる接着２２は、シート材料１の性質に依存して、接着剤による接着、スポット溶接またはろう付け等によって、種々の方法で実行されてもよい。
【００２８】
本発明のハニカム構造の汎用性だけでなく当該ハニカム構造を形成する製造方法の汎用性を強調するために、説明された第１実施形態のいくつかの変形例が図９−図１５Ｂを参照して説明されるだろう。
【００２９】
本発明に従った構造１２０の第２実施形態が図９において説明される。この構造１２０はシート材料１から同様に形成され、シート１全体に渡って設けられたスロットのセットを有する。ここで、シート材料は各セットの複数のスロットにおいて同様に折り畳まれる。しかしながら、選択された複数のセットの複数のスロットにおいて、シート材料は１８０°以外の角度で折り畳まれ、それによって複数の種々の面Ｐ１−Ｐ４に拡張されるパネル面ＰＡ１−ＰＡ４に分割された構造１２０を形成する。説明される第２実施形態において、シート材料は、自身に向かって９０°、任意に選択された複数のセットの複数のスロットに沿って折り畳まれ、それによって直角“ケージ”構造を形成する。そのような構造１２０は、例えば電子機器のためのサブラックに使用されてもよい。他の実施形態において、選択された複数のセットの複数のスロットに沿って、０°と１３５°との間（図１０、１１Ｂおよび１２参照）等の、１８０°または９０°以外の任意の角度で、シート材料は自身に向かって当然折り畳まれてもよい。シート材料は、全ての他のセットのスロットにおいて自身に向かって１８０°折り畳まれ、その結果全てのパネル領域ＰＡ１−ＰＡ４において複数のセルはそれぞれの面Ｐ１−Ｐ４と全体として垂直に向けられる。
【００３０】
本発明に従った構造２２０の第３実施形態が図１０において説明される。この実施形態は図９の第２実施形態の変形例であり、図１Ａ−Ｂに説明されるシート材料１から同様に形成されてもよい。シート材料は、同様に１８０°、任意に選択された連続した複数のセットの複数のスロットに沿って交互に反対方向に、折り畳まれる。シート材料の自身へのこの折り畳みは、それぞれの面Ｐ１、Ｐ３と全体として垂直に向けられている複数のセルを有する、説明された形状のパネル領域ＰＡ１、ＰＡ３を形成する。当該“折り畳まれた”パネル領域ＰＡ１、ＰＡ３の間に、面Ｐ２、Ｐ４に拡張されるパネル領域ＰＡ２、ＰＡ４が形成され、ここでは、シート材料は０°折り畳まれる、すなわち折り畳まれないままである（明細書を通じて、この表現は、シートが折り畳まれないことを示すために使用される）。後者のパネル領域ＰＡ２、ＰＡ４において、それによって構造はスロットを作られ波形化された外形のままである。
【００３１】
図１１Ａにおいて、修正されたシート材料３０１が説明され、ここではセット３１０、３１１のスロット３１０Ａ、３１１Ａが交互に形成され、相互に等しく間隔を空けられている。しかしながら、この場合セット３１０、３１１のスロット３１０Ａ、３１１Ａは、シート材料３０１の選択された領域３０１Ａにのみ形成され、一方“スロットが作られていない” 領域３０１Ｂは、連続したスロットが作られた複数の領域３０１Ａ間に形成される。このことは、波形３０２、３０３がシート材料３０１の当該“スロットを作られた”領域３０１Ｂに、連続的または途切れなく拡張されることを意味する。本発明の第４実施形態の構造３２０を形成するために、シート材料３０１は図１０を参照して説明される概略的方法で折り畳まれる。具体的には、それぞれの面Ｐ１、Ｐ３と全体として垂直に向けられたセルを有するパネル領域ＰＡ１、ＰＡ３を形成するために、シート材料３０１は連続した複数のセットの複数のスロットに沿って、１８０°自身に向かって折り畳まれる。当該“折り畳まれた”パネル領域ＰＡ１、ＰＡ３の間に、面Ｐ２、Ｐ４に拡張されたパネル領域ＰＡ２、ＰＡ４が形成される。後者のパネル領域ＰＡ２、ＰＡ４において、シート材料は、波形化された外形であり、スロット無しに、パネル領域ＰＡ２およびＰＡ４のそれぞれの面Ｐ２、Ｐ４の方向に拡張された波形３０２、３０３を伴っている。
【００３２】
図１２は独創的な構造４２０の第５実施形態の部分説明図である。この実施形態は、図９に関連して説明され且つ“ケージ”型構造４２０のコーナーを形成する複数のスロットの複数のセットにおける折り畳み角度に関する変形例を例示する。面Ｐ５に拡張されたコーナーパネル領域ＰＡ５は、面Ｐ１、Ｐ２に延びる全体として垂直なパネル領域ＰＡ１およびＰＡ２と接続して形成される。コーナーパネル領域ＰＡ５は、相互に１８０°折り畳まれるがパネル領域ＰＡ１、ＰＡ２の隣接シートセクションＳＳｘ−１、ＳＳｘ＋２に向かって略１３５°折り畳まれている、２つのシートセクションＳＳｘ、ＳＳｘ＋１を有する。コーナーパネル領域における折り畳み角度を変更することによって、およびコーナーパネル領域を構成するシートセクションの数を変更することによって、様々な多角形形状の構造を形成することが可能となるだろう。
【００３３】
図１３Ａにおいて、本発明の第６実施形態の構造５２０（図１３Ｂ）を形成するために使用されてもよいシート材料５０１のさらなる変形例の切り出し部分が示される。この実施形態においてシート材料５０１は、前述したように波形５０２、５０３を有するが、それぞれが相互に種々の距離で配置される第１の５１０、５１０’のセットおよび第２の５１１、５１１’のセットの、スロット５１０Ａ、５１０Ａ’および５１１Ａ、５１１Ａ’を有して、形成される。具体的には、主要な（primary）第１のセット５１０のスロット５１０Ａが、主要な第２のセット５１１のスロット５１１Ａから比較的短い距離に形成され、一方、補助的な（secondary）第１のセット５１０’のスロット５１０Ａ’が、補助的な第２のセット５１１’のスロット５１１Ａ’からだけでなく、主要な第２のセット５１１のスロット５１１Ａからも十分長い距離に形成される。そのようなシート材料の形状で、上述した交互の折り畳みが、同一でない深さの管状開放セル５２１、５２１’を有するハニカム構造５２０を生産するだろう。任意の複数のセットの複数のスロット間の距離を変更することによって、種々の地形の構造が、例えば、冷却されるべき構成要素の表面に適合するように製造されてもよい。
【００３４】
図１４Ａは、本発明に従った第７実施形態の（図１４Ｂに概略的に示される）ハニカム構造６２０を形成するためのシート材料６０１のさらなる変形例を説明する。ここで、波形６０２、６０２’、６０３、６０３’は、２つの異なる幅ＣＷ１およびＣＷ２の、平らな溝底面６０４、６０４’および尾根頂面６０５、６０５’をそれぞれ有して形成される。そのような形状で、例えば特定の適用例に適合するために、種々の寸法の平行な管状開放セル６２１、６２１’を有する構造６２０が形成される。説明された実施形態において、種々の波形６０２、６０２’、６０３、６０３’の側面６０６、６０７および６０６’および６０７’の傾斜は、平らな溝底面６０４、６０４’および尾根頂面６０５、６０５’のそれぞれの幅に適合され、その結果、複数のスロットは全ての波形について同じ長さを有する。しかしながら、類似の実施形態の他の波形幅について、スロット長およびスロット間隔は、スロット間隔が実質的に平らな溝底面および尾根頂面に対応することを保証するために種々の波形幅に適合されてもよい。
【００３５】
本発明の特に有利な適用例において、製造される半開構造は、電子機器の分野で特に電気的機械的遮蔽目的および換気目的を対象としている。構造の開放セルは、換気パネルユニットの換気チャネルとして機能する一方、セルを区切る一体型または連続したシート材料は、電子モジュールのための電磁気的（ＥＭＣ）遮蔽パネルとして機能する。そのような適用例において、基本材料は良好な導電率を有する金属シートである。
【００３６】
そのような使用について、折り畳まれた状態で相互に係合し且つ平らに接触する、全体として平らな溝底部および尾根頂部を波形が有する場合に、最良の電磁気的遮蔽特性が得られる。これらの接触面がスロット間隔を通じて相互に一体に接続されるので、独創的なハニカムパネル全体に渡って導電率が良好且つ一様である。伝導率を最大化するために、スロット間隔の幅が原則的に関連付けられた溝底部および尾根頂部の幅に対応することが好ましい。パネルまたは構造全体の安定性を機能強化するために、上述したスポット間隔だけ離れた位置で、さらなるシートセクションが共にスポット溶接されてもよい。
【００３７】
そのような電子的適用例について、構造およびそのＥＭＣ遮蔽特性が、特定の電子機器および一般的条件に適合されてもよい。このことは、シート材料の厚さ（ＥＭＣ遮蔽目的で通常０．２ｍｍ〜０．３ｍｍ）や、管状セルの深さだけではなく断面寸法を、遮蔽されるべき無線周波数に適合させることによって行われてもよく、その結果ＥＭＣ特性は特定の適用例に対して最適化される。類似の適用例が、追加的にまたは代わりに換気目的としての機能を果たす構造に対してなされてもよい。
【００３８】
最後に、図１５Ａ−Ｂは、本発明に従った部分ハニカム構造７２０だけでなくシート材料７０１のさらなる実施形態を説明する。この構造は、例えば電気通信産業で用いるサブラックにおいて、ＥＭＣ遮蔽だけではなく良好な換気を有するＰＣＢを収容するために好ましくは使用されてもよいがこれに限らなくてもよい。構造７２０を形成するための基本シート材料７０１は、正方形シートまたは長方形シートの各コーナーにおいて例えば直角のピースを切り出すことによって形成された、全体として十字形状を有する。材料は第１および第２のセット７１０、７１１のスロット７１０Ａ、７１１Ａを伴って形成される。スロットのセットは図１５Ａに見られるように、十字の横断ピース７３０の外端上に形成される。具体的には、スロットは、十字形状の真っすぐな柱（upright post）７３４から外見上延びる横断ピース７３０の部分７３１、７３２上にのみ形成される。スロットは、横断ピース７３０の長手方向ＬＤと実質的に垂直に全て拡張される。
【００３９】
シート材料７０１は少なくともその一部分で波形化される。具体的には、横断ピース７３０は、前の実施形態と同様に、横断ピース７３０の長さに沿って延びる波形７０２、７０３を伴って形成される。波形は、横断ピース７３０の特定の外側部分７３１、７３２上でのみ要求され、または望ましくさえあるが、実際の処理上の理由で、横断ピース７３０の中央部分７３３が同様に図１５Ａにおける一点鎖線で示されるように波形化されるだろう。横断ピース７３０の外側部分７３１、７３２は、上述したように、セット７１０、７１１のスロット７１０Ａ、７１１Ａに沿って交互に折り畳まれる。これにより、横断ピース７３０の当該外側部分７３１、７３２から平らなハニカム型パネルが生成されるだろう。横断ピース７３０の外側部分７３１、７３２および対応するスロットが作られておらず且つ折り畳まれていない真っすぐな柱７３４の外側部分７３５、７３６は、中央部分７３３に向かって全体として同じ方向に折り畳まれる。これにより、２つの平行で反対のハニカム壁７３１、７３２、２つの平行で反対の平らなシート壁７３５、７３６、１つの波形化されたまたは平らな壁７３３、および図１５Ｂにおける説明図で下向きに面する１つの開放側（open side）を有する、図１５Ｂのケージ型またはボックス型構造７２０が生産されるだろう。十字形状の真っすぐな柱７３４の下方に連続してさらなる平らなシート部分７３７を追加することによって、十分に閉じられたケージまたはボックスを創り出すことも可能であろう。この連続部は外側部分７３５と接続され、後者に関連して９０°折り畳まれるだろう。それによってケージまたはボックス７２０の最後の壁７３７を形成する。
【００４０】
代替的であるが、本発明の具体的に説明された実施形態ではなく、形成された半開構造だけではなく基本シート材料の種々の説明された部分の変形が本発明の範囲を逸脱することなく採用されてもよい。製造方法の１つの変形例では、図１１Ａの部分的にスロットを作られたシート材料３０１が、第１実施形態のパネルと共通点がある“平らな”パネルを形成するために使用される。そのようなシートを、図１１Ｂのそれぞれの第１の“コーナースロット”で９０°および全ての他のセットのスロットで１８０°折り畳むことによって、パネルはいくつかの平行なパネル領域に分割されるだろう。第１の複数のパネル領域は、１つの面に拡張されて、且つ当該複数の領域の面と全体として垂直に向けられたセルを有して、形成される。第２の“スロットが作られていない”複数のパネル領域もまた、平行であるがわずかに変位した面に拡張されて、且つ初めに波形化された形状を有して、形成される。同様に、図１０の第３実施形態において、第３のパネル領域は、第１のパネル領域と同じ面に拡張され得、第２および第４のパネル領域は平行であるがわずかに変位した面に拡張され得る。この場合、一様にスロットが作られたシートは、それぞれの第１の“コーナースロット”で９０°単純に折り畳まれ、その結果パネルは“平ら”であり、且つ、初めに波形化され且つスロットが作られた形状を有する変位した領域を伴う２つの平行な面に拡張されるだろう。
【００４１】
別の例は、添付の図面に説明される全体として台形の外形以外の波形に対する断面外形または形状の使用である。そのような代替的な外形の例は、直角から、半円および全体として孤形状または何らかの他の適切な断面までに及んでいる。シートセクション間で良好な接触を要求する適用例に対しては、導電率目的または全体としての安定性目的で、波形が平らにされた底部および頂部を有してもよい。他の有利な代替実施形態において、波形は、その長手伸張に沿って段階的または徐々に変化する寸法を有してもよい。
【００４２】
スロット間隔の長さだけでなくスロットの長さは、図１４Ａ−Ｂの実施形態に関連して簡潔に述べられたように、各セット内と、種々のセットのスロット間との両方で、変更されてもよい。同じことが、種々のセットのスロット間での相互の変位にも当てはまり、それは規則正しい必要はなく、または絶対的に波形ピッチに関する必要はない。
【００４３】
シート材料およびその波形を特定するためにこの明細書を通じて使用されている“溝”“尾根”“頂”および“底”面等の表現は、全て添付の説明図およびその中のシート材料の位置決めに関連していることが強調されよう。それ故、これらの表現は、決して本発明を限定するものとして見なされることはないことが明らかであるべきである。実際には、構造を形成する際にシート材料のあらゆる位置決めが実現可能である。
【００４４】
本発明は、最も実践的で好ましい実施形態と現在考えられているものと関連して説明されているが、本発明は、開示された実施形態に限定されないことが理解されるべきである。同様に、本発明は、様々な記述され説明された本発明の実施形態の特徴のあらゆる実現可能な組み合わせも含む。本発明は、それ故、添付の特許請求の範囲の精神および範囲に含まれる様々な修正および均等物を含むことが意図される。
【図１Ａ】
0005479489.tif 000002
【図１Ｂ】
0005479489.tif 000003
【図２Ａ】
0005479489.tif 000004
【図２Ｂ】
0005479489.tif 000005
【図３Ａ】
0005479489.tif 000006
【図３Ｂ】
0005479489.tif 000007
【図４Ａ】
0005479489.tif 000008
【図４Ｂ】
0005479489.tif 000009
【図５】
0005479489.tif 000010
【図６】
0005479489.tif 000011
【図７】
0005479489.tif 000012
【図８】
0005479489.tif 000013
【図９】
0005479489.tif 000014
【図１０】
0005479489.tif 000015
【図１１Ａ】
0005479489.tif 000016
【図１１Ｂ】
0005479489.tif 000017
【図１２】
0005479489.tif 000018
【図１３Ａ】
0005479489.tif 000019
【図１３Ｂ】
0005479489.tif 000020
【図１４Ａ】
0005479489.tif 000021
【図１４Ｂ】
0005479489.tif 000022
【図１５Ａ】
0005479489.tif 000023
【図１５Ｂ】
0005479489.tif 000024